(57)【要約】      （修正有）【課題】命綱が挿入される開口から空気が漏れ難いファン付衣服を提供する。【解決手段】ファン付衣服の内側Ｂに外気を導入するファンと、ファン付衣服の内側Ｂと外側Ａを連通し、命綱４の端部に連結されたＤ環９が挿入される開口５を形成すると共に、開口５の長手方向に沿った第１の周縁部６と、第１の周縁部６と厚さ方向にオーバーラップする開口５の長手方向に沿った第２の周縁部７とを有し、Ｄ環９が開口５に挿入された状態で、第１の周縁部６がファン付衣服の外側Ａに突出し、第２の周縁部７がファン付衣服の内側Ｂに突出する。【選択図】図４
0003224366.tif 000002
【実用新案登録請求の範囲】
【請求項１】
ファン付衣服の内側に外気を導入するファンと、
前記ファン付衣服の内側と外側を連通し、命綱が挿入される開口を形成すると共に、前記開口の長手方向に沿った第１の周縁部と、前記第１の周縁部と厚さ方向にオーバーラップする前記開口の長手方向に沿った第２の周縁部と、
を有することを特徴とするファン付衣服。
【請求項２】
前記命綱が前記開口に挿入された状態で、前記第１の周縁部が前記ファン付衣服の外側に突出し、前記第２の周縁部が前記ファン付衣服の内側に突出することを特徴とする請求項１に記載のファン付衣服。
【請求項３】
前記第１の周縁部に設けられた第１の面ファスナと、
前記第２の周縁部に設けられた第２の面ファスナと、
を有し、
前記命綱が前記開口に挿入された状態で、前記第１の面ファスナと前記第２の面ファスナとが係合し、前記命綱の周囲の前記開口を塞ぐことを特徴とする請求項１または請求項２に記載のファン付衣服。
【請求項４】
前記開口の前記ファン付衣服の内側に伸縮自在の空気漏れ防止部材が設けられ、
前記空気漏れ防止部材には、切欠きが設けられ、ハーネス型安全帯に連結されたＤ環が前記切欠きに挿入された状態で、前記切欠きは、前記Ｄ環の外形に沿って延びることを特徴とする請求項１乃至３のいずれか１項に記載のファン付衣服。
【請求項５】
前記空気漏れ防止部材は、前記ファン付衣服に着脱可能に設けられていることを特徴とする請求項４に記載のファン付衣服。
【考案の詳細な説明】
【技術分野】
【０００１】
本考案は、衣服の内側に空気の流れを発生させることにより体を空冷するファン付衣服に関するものである。
【背景技術】
【０００２】
鉄工所や夏の屋外の工事現場などの高温環境下で作業する場合は、体温の上昇を抑制する必要があるため特許文献１乃至３のようなファン付衣服が提案されている。特許文献１、２のファン付衣服の背面には、内側と外側を連通し、命綱が挿入される開口部を有する取出し筒部が設けられ、その取出し筒部に命綱の周囲を緊縛し、開口部を密閉する口紐が設けられている。また、特許文献３のファン付衣服の前面や背面には、内側と外側を連通し、命綱が挿入される開口部を有する取出し筒部が設けられ、その取出し筒部に命綱の周囲を緊縛し、開口部を密閉する口紐が設けられている。また、特許文献４には、作業服の後身頃に安全器具の係止具を挿通可能とする開孔が設けられ、開孔は玉縁仕上げされ、玉縁仕上げは係止具に沿って外側に突出している。
【先行技術文献】
【特許文献】
【０００３】
【特許文献１】特開２０１８−１１９２３０号公報
【特許文献２】実用新案登録第３１９８７７８号公報
【特許文献３】実用新案登録第３２２０９０３号公報
【特許文献４】特開２０１７−１７２１０４号公報
【考案の概要】
【考案が解決しようとする課題】
【０００４】
しかしながら、特許文献１乃至３のようなファン付衣服では、取出し筒部の命綱の周囲から空気が漏れ易いため体を空冷する空気の流れが脇や首まで十分届かず、冷却効果が損なわれるといった問題があった。また、特許文献４の構成をファン付衣服に適用したとしても玉縁仕上げされた開孔に係止具が挿通された状態では玉縁仕上げ部が外側に突出し、その隙間から空気が漏れ易いため体を空冷する空気の流れが脇や首まで十分届かず、冷却効果が損なわれるといった問題があった。
【０００５】
本考案は前記課題を解決するものであり、その目的とするところは、命綱が挿入される開口から空気が漏れ難いファン付衣服を提供せんとするものである。
【課題を解決するための手段】
【０００６】
前記目的を達成するための本考案に係るファン付衣服の代表的な構成は、ファン付衣服の内側に外気を導入するファンと、前記ファン付衣服の内側と外側を連通し、命綱が挿入される開口を形成すると共に、前記開口の長手方向に沿った第１の周縁部と、前記第１の周縁部と厚さ方向にオーバーラップする前記開口の長手方向に沿った第２の周縁部と、を有することを特徴とする。
【考案の効果】
【０００７】
本考案によれば、命綱が挿入される開口から空気が漏れ難い。これにより体を空冷する空気の流れが脇や首まで十分届き、冷却効果が高まる。
【図面の簡単な説明】
【０００８】
【図１】（ａ）は、本考案に係るファン付衣服の構成を示す正面図である。（ｂ）は、本考案に係るファン付衣服の構成を示す背面図である。
【図２】本考案に係るファン付衣服の内側を見せた展開図である。
【図３】（ａ）は、ファン付衣服の内側と外側とを連通する開口を中央部で縦方向に切断して見せた斜視図である。（ｂ）は、空気漏れ防止部材の切欠きにＤ環を挿入する前の空気漏れ防止部材の状態を示す図である。（ｃ）は、空気漏れ防止部材の切欠きにＤ環を挿入したときの空気漏れ防止部材の状態を示す図である。
【図４】（ａ）は、ファン付衣服の内側と外側とを連通する開口にＤ環を挿入する前の開口の周縁部の状態を示す断面図である。（ｂ）は、ファン付衣服の内側と外側とを連通する開口にＤ環を挿入したときの開口の周縁部の状態を示す断面図である。（ｃ）は、ファン付衣服の内側と外側とを連通する開口にＤ環を挿入したときの開口の周縁部の状態を示す背面図である。
【考案を実施するための形態】
【０００９】
図により本考案に係るファン付衣服の一実施形態を具体的に説明する。
【００１０】
図１、図２及び図３（ａ）に示すファン付衣服１は、その内側Ｂに外気を導入するファン２が設けられている。ファン２は、後身頃１ａに２つ設けられている。各ファン２には、図示しない電気ケーブルを介してバッテリ１０に接続されている。
【００１１】
図４に示すように、ファン付衣服１の後身頃１ａには、ファン付衣服１の内側Ｂと外側Ａを連通し、命綱４に連結されたＤ環９が挿入される開口５が形成されている。Ｄ環９は、命綱４の一部を構成する。開口５の長手方向に沿って第１の周縁部６と、第２の周縁部７が設けられている。図４（ａ）に示すように、第１の周縁部６と第２の周縁部７とは、厚さ方向にオーバーラップしている。第１の周縁部６と第２の周縁部７の互いに対向する面には、第１の周縁部６と第２の周縁部７の長手方向における略全長に亘って面ファスナ６ａ，７ａがそれぞれ設けられている。面ファスナ６ａ，７ａは、面的に着脱できるファスナであり、一方に細かなかぎ状の突起が密に設けられ、他方に環状の突起が密に設けられている。２枚の面ファスナ６ａ，７ａを合わせて軽く押さえるだけで、かぎと環がからみ合うようにして密着する。
【００１２】
第１の周縁部６と、第２の周縁部７とは、厚さ方向にオーバーラップしているため、図４（ｂ）に示すように、命綱４に連結されたＤ環９が開口５に挿入された状態で、第１の周縁部６がファン付衣服１の外側Ａに突出し、第２の周縁部７がファン付衣服１の内側Ｂに突出する。このとき、命綱４に連結されたＤ環９が開口５に挿入された状態で、面ファスナ６ａ，７ａが係合し、Ｄ環９の周囲の開口５を塞ぐことができる。
【００１３】
ここで、第１の周縁部６と第２の周縁部７とが厚さ方向にオーバーラップしていない場合を想定すると、命綱４に連結されたＤ環９が開口５に挿入された状態では、第１の周縁部６と第２の周縁部７のＤ環９の外周面に接触している部分では、第１の周縁部６と第２の周縁部７とが、Ｄ環９の外周面に沿って何れもファン付衣服１の外側Ａに捲（めく）れ上がって突出してしまう。このためＤ環９が挿入される開口５から空気が漏れ易くなってしまう。このためファン２により生成された体を空冷する空気の流れが脇や首まで十分届かず、冷却効果が低下するといった問題がある。
【００１４】
本実施形態では、開口５の第１の周縁部６と第２の周縁部７とが厚さ方向にオーバーラップしている。このため図４（ｂ）に示すように、命綱４に連結されたＤ環９が開口５に挿入された状態で、第１の周縁部６と第２の周縁部７のＤ環９の外周面に接触している部分では、Ｄ環９の外周面に沿って第１の周縁部６がファン付衣服１の外側Ａに突出し、第２の周縁部７がファン付衣服１の内側Ｂに突出する。本実施形態では、第１の周縁部６と第２の周縁部７のＤ環９の外周面に接触している部分では、何れもＤ環９の外周面に沿って同じ方向に捲れ上がることがないためＤ環９が挿入される開口５から空気が漏れ難い。このためファン２により生成された体を空冷する空気の流れが脇や首まで十分届き、冷却効果が向上する。
【００１５】
図２に示すように、ファン付衣服１の後身頃１ａの開口５の内側Ｂには、ゴム製で伸縮自在の空気漏れ防止部材８が後身頃１ａに対して着脱可能に設けられている。空気漏れ防止部材８と後身頃１ａとは、雄雌のホック１１ａ，１１ｂや雄雌の面ファスナ等により着脱可能に装着される。本実施形態では、雄のホック１１ａが後身頃１ａに設けられ、雌のホック１１ｂが空気漏れ防止部材８に設けられた場合の一例を示す。空気漏れ防止部材８の中央には、貫通長穴からなる直線状の切欠き８ａが設けられている。
【００１６】
図３（ｂ）に示すように、空気漏れ防止部材８が外力を受けていない自然状態にあるとき、切欠き８ａの長手方向の長さＬ１は、Ｄ環９の直線部９ａの外周面の幅Ｗよりも小さい。また、図３（ｃ）に示すように、空気漏れ防止部材８の復元力に抗してＤ環９の湾曲部９ｂを切欠き８ａの内部に押し込んだ状態では、空気漏れ防止部材８が弾性変形して切欠き８ａが長手方向に延びて切欠き８ａの長手方向の長さＬ２は、Ｄ環９の直線部９ａの外周面の幅Ｗと一致する。
【００１７】
ファン付衣服１を着用する作業者は、ファン付衣服１の内側Ｂに図示しないハーネス型安全帯を着用している。そして、ハーネス型安全帯に連結された命綱４の端部にＤ環９が連結されている。
【００１８】
Ｄ環９と空気漏れ防止部材８の装着手順としては、図３（ａ）及び図４（ａ）に示すように、雄雌のホック１１ａ，１１ｂを外して空気漏れ防止部材８を後身頃１ａから取り外し、空気漏れ防止部材８の復元力に抗してＤ環９の湾曲部９ｂを切欠き８ａの内部に押し込んだ状態で、図４（ｂ）に示すように、面ファスナ６ａ，７ａを剥離した状態で第１の周縁部６と第２の周縁部７との間に開口５を形成し、その開口５内にＤ環９の湾曲部９ｂを第２の周縁部７の上方から下方に向かって第１の周縁部６との間に挿入した後、Ｄ環９の周囲の面ファスナ６ａ，７ａを係合させて開口５を閉塞し、雄雌のホック１１ａ，１１ｂを留めて空気漏れ防止部材８を後身頃１ａに装着する。
【００１９】
図３（ｃ）及び図４（ｃ）に示すように、Ｄ環９が空気漏れ防止部材８の切欠き８ａに挿入された状態で、切欠き８ａは、Ｄ環９の外形に沿って長手方向に延びるように構成されている。このため切欠き８ａの周縁部がＤ環９の外周面に沿って捲れ上がることがないためＤ環９が挿入される切欠き８ａから空気が漏れ難い。このためファン２により生成された体を空冷する空気の流れが脇や首まで十分届き、冷却効果が向上する。
【００２０】
Ｄ環９は、空気漏れ防止部材８の切欠き８ａ及び開口５に挿入されて状態で、湾曲部９ｂの一部が外側Ａ（外部）に露出しており、この状態で、予めハーネス型安全帯を着用している作業者がハーネス型安全帯の上にファン付衣服１を着用する。そして、開口５から湾曲部９ｂの一部が外側Ａ（外部）に露出しているＤ環９に図示しないランヤードの一端部が連結され、ランヤードの他端部に設けられたフックを構造体等に設けられたワイヤー等の支持部に引っ掛ける。
【００２１】
尚、本実施形態では、ファン付衣服１の後身頃１ａに開口５や開口５を覆う空気漏れ防止部材８を設けた場合の一例について説明したが、ファン付衣服１の左前身頃１ｂや右前身頃１ｃに開口５や開口５を覆う空気漏れ防止部材８を設けることもできる。また、ファン付衣服１の開口５や空気漏れ防止部材８の切欠き８ａ内にＤ環９が挿入される場合の一例について説明したが、Ｄ環９以外の丸環やロープや帯などの命綱４がファン付衣服１の開口５内に挿入される場合でも同様な効果を得ることができる。また、空気漏れ防止部材８の切欠き８ａ内に丸環等が挿入される場合でも同様な効果を得ることができる。
【産業上の利用可能性】
【００２２】
本考案の活用例として、衣服の内側に空気の流れを発生させることにより体を空冷するファン付衣服に適用することができる。
【符号の説明】
【００２３】
Ａ…外側
Ｂ…内側
Ｌ１…空気漏れ防止部材８が自然状態にあるときの切欠き８ａの長手方向の長さ
Ｌ２…空気漏れ防止部材８の復元力に抗してＤ環９の湾曲部９ｂを切欠き８ａの内部に押し込んだ状態の切欠き８ａの長手方向の長さ
Ｗ…Ｄ環９の直線部９ａの外周面の幅
１…ファン付衣服
１ａ…後身頃
１ｂ…左前身頃
１ｃ…右前身頃
２…ファン
４…命綱
５…開口
６…第１の周縁部
６ａ…面ファスナ
７…第２の周縁部
７ａ…面ファスナ
８…空気漏れ防止部材
８ａ…切欠き
９…Ｄ環
９ａ…直線部
９ｂ…湾曲部
１０…バッテリ
１１ａ…雄のホック
１１ｂ…雌のホック
【図１】
0003224366.tif 000003
【図２】
0003224366.tif 000004
【図３】
0003224366.tif 000005
【図４】
0003224366.tif 000006